【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
当該中央領域の中心軸（１０８、１４６、１６８、１９２、２１０、２３４、２５８）に関して実質的に対称であり、走査時に第一の数の検出器横列から計算機式断層写真法（ＣＴ）データを取得するように構成されている第一の複数のＸ線検出器セルを含んでいる中央領域（１０６、１４４、１６６、１８６、２０４、２２８、２５２）であって、前記中心軸（１０８、１４６、１６８、１９２、２１０、２３４、２５８）は、当該ＣＴ検出器アレイ（１６、１００、１３８、１６０、１８２、２００、２２４、２４８）のチャネル方向（１１４）に位置し、当該ＣＴ検出器アレイ（１６、１００、１３８、１６０、１８２、２００、２２４、２４８）のスライス方向に対して横断している、中央領域（１０６、１４４、１６６、１８６、２０４、２２８、２５２）と、
該中央領域（１０６、１４４、１６６、１８６、２０４、２２８、２５２）の第一の側（１１６、１５２、１７４）に結合されて、前記走査時に第二の数の検出器横列からＣＴデータを取得するように構成されている第二の複数のＸ線検出器セルを含んでいる第一の翼（１０２、１４０、１６２、１８４、２０２、２２６、２５０）であって、前記第二の検出器横列の数は前記第一の検出器横列の数よりも少ない、第一の翼（１０２、１４０、１６２、１８４、２０２、２２６、２５０）と、
前記中央領域（１０６、１４４、１６６、１８６、２０４、２２８、２５２）の前記第一の側（１１６、１５２、１７６）の反対側の第二の側（１１８、１５４、１７４）に結合されて、前記走査時に第三の数の検出器横列によりＣＴデータを取得するように構成されている第三の複数のＸ線検出器セルを含んでいる第二の翼（１１０、１４８、１７０、１８８、２０６、２３０、２５４）であって、前記第三の検出器横列の数は前記第一の検出器横列の数よりも少ない、第二の翼（１１０、１４８、１７０、１８８、２０６、２３０、２５４）と
を備えた計算機式断層写真法（ＣＴ）検出器アレイ（１６、１００、１３８、１６０、１８２、２００、２２４、２４８）であって、
前記中央領域（１０６、１４４、１６６、１８６、２０４、２２８、２５２）の前記中心軸（１０８、１４６、１６８、１９２、２１０、２３４、２５８）に関して非対称である計算機式断層写真法（ＣＴ）検出器アレイ（１６、１００、１３８、１６０、１８２、２００、２２４、２４８）。
【請求項２】
前記第一の翼（１０２、１４０、１６２、１８４、２０２、２２６、２５０）は、当該第一の翼（１０２、１４０、１６２、１８４、２０２、２２６、２５０）を実質的に二等分する中心軸（１０４、１４２、１６４、１９０、２０８、２３２、２５６）を有し、該第一の翼（１０２、１４０、１６２、１８４、２０２、２２６、２５０）の該中心軸（１０４、１４２、１６４、１９０、２０８、２３２、２５６）は、前記中央領域（１０６、１４４、１６６、１８６、２０４、２２８、２５２）の前記中心軸（１０８、１４６、１６８、１９２、２１０、２３４、２５８）に実質的に平行であり、
前記第二の翼（１１０、１４８、１７０、１８８、２０６、２３０、２５４）は、当該第二の翼（１１０、１４８、１７０、１８８、２０６、２３０、２５４）を実質的に二等分する中心軸（１１２、１５０、１７２、１９４、２１２、２３６、２６０）を有し、該第二の翼（１１０、１４８、１７０、１８８、２０６、２３０、２５４）の該中心軸（１１２、１５０、１７２、１９４、２１２、２３６、２６０）は、前記中央領域（１０６、１４４、１６６、１８６、２０４、２２８、２５２）の前記中心軸（１０８、１４６、１６８、１９２、２１０、２３４、２５８）に実質的に平行である、
請求項１に記載のＣＴ検出器アレイ（１６、１００、１３８、１６０、１８２、２００、２２４、２４８）。
【請求項３】
前記第一の翼（１０２、１４０、１６２、１８４、２０２、２２６、２５０）の前記中心軸（１０４、１４２、１６４、１９０、２０８、２３２、２５６）は、前記中央領域（１０６、１４４、１６６、１８６、２０４、２２８、２５２）の前記中心軸（１０８、１４６、１６８、１９２、２１０、２３４、２５８）の第一の側（１２８、１５６、１７８、１９６、２１４、２３８）に位置し、前記第二の翼（１１０、１４８、１７０、１８８、２０６、２３０、２５４）の前記中心軸（１１２、１５０、１７２、１９４、２１２、２３６、２６０）は、前記中央領域（１０６、１４４、１６６、１８６、２０４、２２８、２５２）の前記中心軸（１０８、１４６、１６８、１９２、２１０、２３４、２５８）の前記第一の側（１２８、１５６、１７８、１９６、２１４、２３８）の反対側の第二の側（１３０、１５８、１８０、１９８、２１６、２４０）に位置している、請求項２に記載のＣＴ検出器アレイ（１６、１００、１３８、１６０、１８２、２００、２２４、２４８）。
【請求項４】
前記中央領域（１０６、１４４、１６６、１８６、２０４、２２８、２５２）の前記中心軸（１０８、１４６、１６８、１９２、２１０、２３４、２５８）は、第一の側（１２８、１５６、１７８、１９６、２１４、２３８）と、該第一の側（１２８、１５６、１７８、１９６、２１４、２３８）の反対側の第二の側（１３０、１５８、１８０、１９８、２１６、２４０）とを有し、前記第一及び第二の翼（１０２、１４０、１６２、１８４、２０２、２２６、２５０、１１０、１４８、１７０、１８８、２０６、２３０、２５４）の前記各中心軸（１０４、１４２、１６４、１９０、２０８、２３２、２５６、１１２、１５０、１７２、１９４、２１２、２３６、２６０）は、前記中央領域（１０６、１４４、１６６、１８６、２０４、２２８、２５２）の前記中心軸（１０８、１４６、１６８、１９２、２１０、２３４、２５８）の前記第一の側（１２８、１５６、１７８、１９６、２１４、２３８）に位置している、請求項２に記載のＣＴ検出器アレイ（１６、１００、１３８、１６０、１８２、２００、２２４、２４８）。
【請求項５】
前記第一の翼（１０２、１４０、１６２、１８４、２０２、２２６、２５０）は、前記チャネル方向（１１４）に第一の翼幅（１３２、２２０、２４２、２６２）を有し、前記第二の翼（１１０、１４８、１７０、１８８、２０６、２３０、２５４）は、前記チャネル方向（１１４）に前記第一の翼幅（１３２、２２０、２４２、２６２）よりも小さい第二の翼幅（１３６、２２２、２４６、２６４）を有している、請求項２に記載のＣＴ検出器アレイ（１６、１００、１３８、１６０、１８２、２００、２２４、２４８）。
【請求項６】
前記第一の翼（１０２、１４０、１６２、１８４、２０２、２２６、２５０）は、当該第一の翼（１０２、１４０、１６２、１８４、２０２、２２６、２５０）を実質的に二等分する中心軸（１０４、１４２、１６４、１９０、２０８、２３２、２５６）を有し、該第一の翼（１０２、１４０、１６２、１８４、２０２、２２６、２５０）の該中心軸（１０４、１４２、１６４、１９０、２０８、２３２、２５６）は、前記中央領域（１０６、１４４、１６６、１８６、２０４、２２８、２５２）の前記中心軸（１０８、１４６、１６８、１９２、２１０、２３４、２５８）に実質的に非平行であり、
前記第二の翼（１１０、１４８、１７０、１８８、２０６、２３０、２５４）は、当該第二の翼（１１０、１４８、１７０、１８８、２０６、２３０、２５４）を実質的に二等分する中心軸（１１２、１５０、１７２、１９４、２１２、２３６、２６０）を有し、該第二の翼（１１０、１４８、１７０、１８８、２０６、２３０、２５４）の該中心軸（１１２、１５０、１７２、１９４、２１２、２３６、２６０）は、前記中央領域（１０６、１４４、１６６、１８６、２０４、２２８、２５２）の前記中心軸（１０８、１４６、１６８、１９２、２１０、２３４、２５８）に実質的に非平行である、
請求項１乃至５のいずれかに記載のＣＴ検出器アレイ（１６、１００、１３８、１６０、１８２、２００、２２４、２４８）。
【請求項７】
前記第一の翼（１０２、１４０、１６２、１８４、２０２、２２６、２５０）は、前記チャネル方向（１１４）に第一の翼幅（１３２、２２０、２４２、２６２）を有し、前記第二の翼（１１０、１４８、１７０、１８８、２０６、２３０、２５４）は、前記チャネル方向（１１４）に前記第一の翼幅（１３２、２２０、２４２、２６２）よりも小さい第二の翼幅（１３６、２２２、２４６、２６４）を有している、請求項６に記載のＣＴ検出器アレイ（１６、１００、１３８、１６０、１８２、２００、２２４、２４８）。
【請求項８】
前記第一の翼（１０２、１４０、１６２、１８４、２０２、２２６、２５０）の少なくとも大部分が、前記中央領域（１０６、１４４、１６６、１８６、２０４、２２８、２５２）の前記中心軸（１０８、１４６、１６８、１９２、２１０、２３４、２５８）の第一の側（１２８、１５６、１７８、１９６、２１４、２３８）に位置し、前記第二の翼（１１０、１４８、１７０、１８８、２０６、２３０、２５４）の少なくとも大部分が、前記中央領域（１０６、１４４、１６６、１８６、２０４、２２８、２５２）の前記中心軸（１０８、１４６、１６８、１９２、２１０、２３４、２５８）の前記第一の側（１２８、１５６、１７８、１９６、２１４、２３８）の反対側の第二の側（１３０、１５８、１８０、１９８、２１６、２４０）に位置している、請求項６に記載のＣＴ検出器アレイ（１６、１００、１３８、１６０、１８２、２００、２２４、２４８）。
【請求項９】
前記第二及び第三の検出器横列の数は各々、６４列の検出器横列と実質的に等価であり、前記第一のスライスの数は、２５６列の検出器横列と実質的に等価である、請求項１乃至８のいずれかに記載のＣＴ検出器アレイ（１６、１００、１３８、１６０、１８２、２００、２２４、２４８）。
【請求項１０】
前記第二の検出器横列の数は、前記第三の検出器横列の数と実質的に等価である、請求項１乃至９のいずれかに記載のＣＴ検出器アレイ（１６、１００、１３８、１６０、１８２、２００、２２４、２４８）。